(57)【要約】【課題】受光面積が減少することが少なく、信頼性が良好な端子構造を提供することを目的する。【解決手段】金属基板２と、この金属基板２上の全面に形成された絶縁層３と、この絶縁層３上に形成された光起電力モジュール４とを備える光起電力装置１であって、絶縁層３が形成された状態で金属基板２が延長した延長片２Ａ、２Ｄを有し、該延長片が、光起電力モジュール１が形成された金属基板２の面に対して折曲され、この折曲された場所で、絶縁層３上に樹脂製緩衝層６が配置され、該緩衝層６上に、光起電力モジュール１からの出力を取り出す出力端子層５が配置されたことを特徴とする光起電力装置。【選択図】  図４
2004296941.tif 000002
【特許請求の範囲】
【請求項１】
金属基板と、この金属基板上の全面に形成された絶縁層と、この絶縁層上に形成された光起電力モジュールとを備える光起電力装置であって、
前記絶縁層が形成された状態で前記金属基板が延長した延長片を有し、
該延長片が、前記光起電力モジュールが形成された前記金属基板の面に対して折曲され、この折曲された場所で、前記絶縁層上に樹脂製緩衝層が配置され、
該緩衝層上に、前記光起電力モジュールからの出力を取り出す出力端子層が配置されたことを特徴とする光起電力装置。
【請求項２】
前記絶縁層膜がポリイミドより成り、前記緩衝層がポリエチレンテレフタレートより成ることを特徴とする請求項１の光起電力装置。
【発明の詳細な説明】
【０００１】
【産業上の利用分野】
本発明は、光起電力装置に関する。
【０００２】
【従来の技術】
従来の光起電力装置が、例えば、実開昭５８−２４０９４号に開示されている。
この公報においては、光起電力装置が、腕時計のカバーガラスの裏面に形成されている。そして、光起電力装置の出力端子も、カバーガラスの裏面側に形成されている。この出力端子より、出力を取り出すために、腕時計の内部には金属バネが設置され、この金属バネの一端を出力端子上に押圧して、電気的接触を得ている。
【０００３】
【特許文献１】
実開昭５８−２４０９４号
【０００４】
【発明が解決しようとする課題】
上記の従来の光起電力装置においては、腕時計に利用するときには金属バネをカバーガラスの裏面側より押圧している構造であるので、出力端子がある分、光起電力装置の受光面積が減少している。
【０００５】
本発明はこのような問題点を解決するために成されたものであり、特に、受光面積が減少することが少なく、信頼性が良好な端子構造を提供することを目的する。
【０００６】
【課題を解決するための手段】
本発明は、金属基板と、この金属基板上の全面に形成された絶縁層と、この絶縁層上に形成された光起電力モジュールとを備える光起電力装置であって、  前記絶縁層が形成された状態で前記金属基板が延長した延長片を有し、  該延長片が、前記光起電力モジュールが形成された前記金属基板の面に対して折曲され、この折曲された場所で、前記絶縁層上に樹脂製緩衝層が配置され、該緩衝層上に、前記光起電力モジュールからの出力を取り出す出力端子層が配置されたことを特徴とする。
【０００７】
【発明の実施の形態】
以下に、本発明である腕時計用の光起電力装置の構造の一実施例を、説明する。
【０００８】
図１において、ステンレス等の略円形の金属基板２（厚さ約０．０５〜０．１０ｍｍ）上全面に、ポリイミド等の耐熱性絶縁層３（厚さ５〜３０μｍ）が配置されている。そして、金属基板２の外周には、外側に延長した延長片２Ａ、２Ｄが、絶縁層３が形成された状態で、設けられている。
【０００９】
また、金属基板２の円形状部２Ｒ上における絶縁層３上には、光起電力モジュール４が形成されていおり、この円形部２Ｒ上が受光面となる。この光起電力モジュール４は、絶縁層３側より、金属電極層／アモルファスシリコン半導体層／透明導電層の積層体からなるセルＡ、Ｂ、Ｃ、Ｄを直列接続した構造であり、各セルの形状は、中心角が略９０度の扇型である。各セルは、隣接するセルと、外周部にて電気接続する構造であり、セルＡ、Ｄより、出力を取り出す構造である。
【００１０】
そして、図２の断面図に示すように、セルＡ（又はＤ）からの出力を取り出すために、帯状の導電性ペースト等からなる出力端子層５、５が配置される。
【００１１】
そして、出力端子層５と絶縁層３の間には、ＰＥＴ（ポリエチレンテレフタレート）（厚さ約１０〜２０μｍ）等からなる樹脂製緩衝層６が、出力端子層５の下側に略同等の大きさで配置されている。このような緩衝層６は、出力端子層５が形成する前に、溶媒に溶かされた状態の溶質（＝ＰＥＰ）を含む溶液を、スクリーン印刷にて配置し、乾燥して形成される。
【００１２】
次に、図３に、腕時計用のムーブメント（図示せず）の上側に取り付けられる固定枠９を示す。この固定枠９は、樹脂製で、高さの低い円柱状である。そして、固定枠９の内側側面には、後述するムーブメント１０から延出する接続ピン１３、１３が配置されることになる。
【００１３】
図４には、光起電力装置１を、固定枠９に保持した状態において、出力端子層５付近の平面図（図４（ａ））、断面図（図４（ｂ））を示している。  図において、固定枠９の内側に、固定枠９における平面視円形形状の中心と同心円となるように、平面視円形の円板状のムーブメント１０が配置されている。このムーブメント１０は、図においては簡略した円板状の形状で表されているが、実際のものは、上側表面側には、時計の針の軸等を、駆動するために、複雑にギア、軸等が設置されている。なお、固定枠９、ムーブメント１０は、別途用意される腕時計のケース（図示せず）に固定されることになる。図４においては、金属基板２の円形状部２Ｒ上であって、光起電力モジュール４が形成された金属基板２の面に対して直角に、延長片２Ａ、３Ｄが折曲されている。
【００１４】
また、ムーブメント１０の底部外周部より、帯状金属板である接続ピン１３、１３が延出している。（図４においては、一方の出力端子層６及び延長片２Ａのみ開示されているが、他方の出力端子層６及び延長片２Ｄも、同様な構造である。）
接続ピン１３、１３は、固定枠１０の内側には、くの字状に折曲された状態で配置されている。そして、図４に示す光起電力装置１が設置された状態においては、接続ピン１３、１３は、くの字状に折曲された部分が弾性変形できるようになっているので、光起電力装置１の出力端子層５、５に接触して、出力端子層５、５を押圧している。そして、光起電力装置１からの出力は、出力端子層５、５より、接続ピン１３、１３に伝達され、ムーブメント１０の駆動に利用される。
【００１５】
次に、本発明の特徴部分について、説明する。光起電力装置１を、ムーブメント１０に取り付ける際には、金属基板２の延長片２Ａ、２Ｄを、金属基板２の円形状部２Ｒと略直角に折曲している。そして、この折曲された場所で、絶縁層３上に樹脂製緩衝層６が配置されていることになる。
【００１６】
ここで、折曲された場所において、金属基板２と絶縁層３との密着力が弱いものの、絶縁層２上に緩衝層６が配置されていることにより、金属基板２と絶縁層３との剥離を低減することができる。本実施例においては、緩衝層６として、ＰＥＰ材料を利用することで、折曲された場所で、剥離することを低減することができたが、アクリル樹脂材料を利用したら、剥離が生じた。
【００１７】
更には、このように折曲された場所での剥離を、より防止するために、出力端子層６Ａ、６Ｄ上に平面視矩形の保護膜７、７を配置してもよい。このような保護膜７は、緩衝層６と同様の材料、形成方法が採用できる。
【００１８】
なお、本実施例においては、金属基板２の円形状部２Ｒと直角に延長片２Ａ、２Ｄは折曲されているが、折曲される角度を小さくしてもいい。
【００１９】
【発明の効果】
本発明においては、出力端子層が形成された延長片が折曲されていることより、光起電力装置の受光面側に、延長片が存在せず、その分、光起電力モジュールを大きくすることができる。そして、折曲された場所には、出力端子層下において、絶縁層上に緩衝層が配置されることより、この場所で、剥離することを低減できる。
【図面の簡単な説明】
【図１】本発明の一実施例を示す正面図である。
【図２】図１のＡ−Ａ線要部断面図である。
【図３】固定枠を示す斜視図である。
【図４】固定枠及びムーブメントに保持された状態を示す図であり、（ａ）は要部正面図、（ｂ）は（ａ）のＢ−Ｂ線断面図である。
【符号の説明】
１  光起電力装置
２  金属基板
２Ａ、２Ｄ  延長片
３  絶縁層
４  光起電力モジュール
５  出力端子層
６  緩衝層
【図１】
2004296941.tif 000003
【図２】
2004296941.tif 000004
【図３】
2004296941.tif 000005
【図４】
2004296941.tif 000006